(57)【要約】【課題】Ｃ形をなす接合部材が接合に適した条件でコンクリート製品へインサートされるように型枠へ簡便、確実に固定することができるコンクリート型枠用の接合部材固定構造を提供すること。【解決手段】コンクリート型枠の側枠へＣ形断面をなす接合部材を離脱可能に固定するコンクリート型枠用の接合部材固定構造であって、上記コンクリート型枠１の側枠２は、Ｃ型断面をなす接合部材３の一側壁３aを支持する縦支持部６と溝部５を支持する横支持部７とを有するものであり、上記Ｃ形断面をなす接合部材３は、溝部５に螺孔１１を横設した固定部材１０を収めて溝部５を閉塞させるものであって、この接合部材３を一側壁３aは側枠２の縦支持部６に、溝部５は横支持部７に支持させて、溝部５に収めた固定部材３の螺孔１１へ側枠２を通したボルト１３を捻じ込むことで側枠２へ固定するようにしたこと。【選択図】  図１
2007090703.tif 000002
【特許請求の範囲】
【請求項１】
コンクリート型枠の側枠へＣ形断面をなす接合部材を離脱可能に固定するコンクリート型枠用の接合部材固定構造であって、
上記コンクリート型枠の側枠は、Ｃ型をなす接合部材の一側壁を支持する縦支持部と溝部を支持する横支持部とを有するものであり、
上記Ｃ形をなす接合部材は、溝部に螺孔を横設した固定部材を収めて溝部を閉塞させるものであって、
この接合部材を一側壁は側枠の縦支持部に、溝部は横支持部に支持させて、溝部に収めた固定部材の螺孔へ側枠を通したボルトを捻じ込むことで側枠へ固定するようにした
ことを特徴とするコンクリート型枠用の接合部材固定構造。
【請求項２】
上記Ｃ形をなす接合部材の他側壁にコンクリート製品へインサートして接合部材の支持強度を増す部材が取り付けられている
ことを特徴とする請求項１に記載のコンクリート型枠用の接合部材固定構造。
【請求項３】
上記Ｃ形断面をなす接合部材の溝部へ収める固定部材が、巾方向に複数に分割形成されている
ことを特徴とする請求項１及び請求項２の何れかに記載のコンクリート型枠用の接合部材固定構造。
【請求項４】
上記コンクリート型枠の側枠が固定の基部と、Ｃ形断面をなす接合部材を支持して回動運動する可動部とに分割形成されて、製品を成形するときは結合され、製品を離型するときは分離されるようにした
ことを特徴とする請求項１〜請求項３の何れかに記載のコンクリート型枠用の接合部材固定構造。
【発明の詳細な説明】
【技術分野】
【０００１】
本発明は、コンクリート型枠の側枠へ接合部材を固定する固定構造に関する。
【背景技術】
【０００２】
最近、セグメント等のコンクリート製品４の端縁部に、図９に示す通りＣ形をなす接合部材３を溝部５が向かい合うようにインサートして、接合部材３，３の溝部５，５を図１０に示す通りに噛み合わせて、内部にできる空間２８へ図１１に示す通りの楔２２を打ち込むことで接合する接合手段が提案されていて、この接合手段を実用化するためには、上記Ｃ型をなす接合部材３を型枠１の側枠２へ簡便、確実に固定する必要があるが、この要望を満たせる固定手段がなかった。
【発明の開示】
【発明が解決しようとする課題】
【０００３】
本発明は前記問題点を解消し、Ｃ形をなす接合部材を接合に適した条件でコンクリート製品へインサートされるように型枠へ簡便、確実に固定することができるコンクリート型枠用の接合部材固定構造を提供することをその課題とする。
【課題を解決するための手段】
【０００４】
前記課題を解決するため本発明に係るコンクリート型枠用の接合部材固定構造は下記の構成を採用することを特徴とする。
【０００５】
請求項１に係る発明は、コンクリート型枠の側枠へＣ形断面をなす接合部材を離脱可能に固定するコンクリート型枠用の接合部材固定構造であって、上記コンクリート型枠の側枠は、Ｃ型をなす接合部材の一側壁を支持する縦支持部と溝部を支持する横支持部とを有するものであり、上記Ｃ形をなす接合部材は、溝部に螺孔を横設した固定部材を収めて溝部を閉塞させるものであって、この接合部材を一側壁は側枠の縦支持部に、溝部は横支持部に支持させて、溝部に収めた固定部材の螺孔へ側枠を通したボルトを捻じ込むことで側枠へ固定するようにしたこと。
【０００６】
請求項２に記載の発明は、上記Ｃ形をなす接合部材の他側壁にコンクリート製品へインサートして接合部材の支持強度を増す部材が取り付けられていること。
【０００７】
請求項３に記載の発明は、上記Ｃ形断面をなす接合部材の溝部へ収める固定部材が、巾方向に複数に分割形成されていること。
【０００８】
請求項４に記載の発明は、上記コンクリート型枠の側枠が固定の基部と、Ｃ形断面をなす接合部材を支持して回動運動する可動部とに分割形成されて、製品を成形するときは結合され、製品を離型する時は分離されるようにしたこと。
【発明の効果】
【０００９】
請求項１に係る発明の効果  Ｃ形断面をなす接合部材の溝部へ固定部材を収め、接合部材の一側壁を側枠の縦支持部に溝部を横支持部に支持させて、側枠を通したボルトを固定部材の螺孔へ捻じ込めば、接合部材は簡単確実に側枠へ固定されて、端縁部に接合部材がインサートされたコンクリート製品を量産することができるので、接合部材の溝部を噛み合わさせて生じた空間へ楔を打ち込むことでコンクリート製品を接合する接合手段を実用化することができる。
【００１０】
請求項２に係る発明の効果  接合部材の他側に部材を取り付けてこれをコンクリート製品にインサートすれば大きな支持力が得られて接合部材の離脱を生ずることがない。
【００１１】
請求項３に係る発明の効果  接合部材の溝部へ収める固定部材を複数に分割形成すれば、溝部へ個別に収めて溝部内で合体させたり、溝部内から個別に抜き出したりすることができて便利があるし、成型時に溝部へノロが浸入しても固定部材を離脱し易い。
【００１２】
請求項４に係る発明の効果  型枠の側枠を基部と可動部に分割形成すれば、接合部材を溝部が上へ向くように側枠に取り付けても、成型時は基部と可動部を一体化して成型を行い、成型後は可動部を逃がして製品の離型を支障なく行なうことができる。
【発明を実施するための最良の形態】
【００１３】
以下に本発明に係るコンクリート型枠用の接合部材固定構造の実施形態を図面に付いて説明する。
【実施例１】
【００１４】
図１、図２において符号Ａは、コンクリート型枠用の接合部材固定構造を示す。この接合部材固定構造Ａは、コンクリート型枠１の側枠２へＣ形をなす接合部材３を離脱可能に固定することで、接合部材３が図９に示す通り端縁部にインサートされたコンクリート製品４を成型することを可能としたものであって、上記Ｃ型をなす接合部材３は、図３に示す通り、一方の側壁３ａとこの側壁３ａより少し長い他方の側壁３ｂと背壁３ｃとで溝部５を囲むＣ形をなすように鋼材等で形成される。また、コンクリート型枠１の側枠２は、図１、図２に示す通り、接合部材３の一方の側壁３ａを支持する縦支持部６と、固定部材１０を納めた溝部５を支持する横支持部７とを直交状態に有する構造に鋼材等で形成される。そして、縦支持部６と横支持部７の関係位置は図１に示す場合と、図２に示す場合とでは上下反対となっている。
【００１５】
上記接合部材３に設ける溝部５は、側壁３ｂの奥端側に凹部８を形成することで奥広がりの形状としてあり、この溝部５には図４（ａ）に示す通り溝部５と同じ断面形状として、奥側に凹部８に係合する凸部９を設けた固定部材１０を納めることで上記溝部５を閉塞させる。そして、固定部材１０には横方向の螺孔１１を設けて、この螺孔１１へ側枠２と接合部材３の側壁３ａに跨ってあけた孔１２を通してボルト１３のねじ１４を螺合させることで、接合部材３が側壁３ａと溝部５に収めた固定部材１０を縦支持部６と横支持部７に当てて側枠２に固定するものであって、上記固定部材１０は図４（ｂ）に示す通り、巾方向に区分１０ａと区分１０ｂとに分割形成して、溝部５内へ個別に収めたり、溝部５から個別に取り出したりできるようにすれば、溝部５への着脱が容易になるものであって、この場合の分割線は図４（ｂ）に示す通り、区分１０ｂは手前よりも奥側が次第に肉薄となるように傾斜して設けられ、また、区分１０ａは奥側に溝部５の凹部８に係合する凸部１５を形成されている。
【００１６】
上記接合部材３の側壁３ｂ側には、型枠１内へ突出するように頭１６又は図面には示してない凹凸を付設した棒状等の部材１７の複数をねじ込み溶接等で固定する。そして、これらの部材１７はコンクリート製品を成型するとき製品４にインサートして、接合部材３の支持強度が増大されるようにする。
【００１７】
上記コンクリート型枠１の側枠２は、接合部材３を溝部５が上を向くように支持させる場合は、成型したコンクリート製品を離型することができない。そこで、側枠２を図５、図６に示す通り型枠１の底面１８に固定した基部２ａと、接合部材３を取り付ける可動部２ｂとに分割形成して、可動部２ｂを底面１８の下側に横架される枢軸１９に支持されたアーム２０へ取り付けて、アーム２０を下降回動させると可動部２ｂが基部２ａへ重なってボルト２１の締め付けによって基部２ａと結合され、ボルト２１を外してアーム２０を上昇回動させると、可動部２ｂが基部２ａより離れてコンクリート製品４の離型を妨げない位置へ退動するようにしてある。
【００１８】
なお、上記接合部材３は、コンクリート製品４の端縁部４ａの全長に設けることなく、一部分だけに設けても必要な接合強度が得られる場合があるので、この場合は図７に示す通り端縁部４ａの長さ方向の中央部分に接合部材３を取り付け、例えば、その上側に楔２２の挿入空間２３を形成し、下側には楔２２の先部の受入れ空間２４を形成する必要がある。そこで、接合部材３を図８に示す通り側枠２の上下方向の中央部に取り付け、例えば
、その上側に楔２２を挿入する空間２３を形成させる部材２５を取り付け、下側に楔２２の先部を受け入れる空間２４を形成する部材２６を取り付けてコンクリート製品４の成型を行うと、図８に示す通り端縁部４ａの一部分だけに接合部材３を取り付けたコンクリート製品４を得ることができる。
【００１９】
上記構成のコンクリート型枠用の接合部材固定構造Ａの図１に示すタイプは、溝部５を下に向けた接合部材３を溝部５内に固定部材１０を収め、側壁３ｂの外側には棒材１７を突出させて、側壁３ａの外面が縦支持部６へ当り、溝部４に収めた固定部材６の下面が横支持部７へ当たるよう側枠２に支持させ、側枠２と側壁３ａにあけた孔１２にボルト１３を通し、先端に設けたねじ１４を固定部材１０に設けた螺孔１１へ捻じ込めば、接合部材３は図１に示す通り側枠２へ固定される。そこで、型枠１の開閉側枠２７を閉じて型組みし、型枠１内へコンクリートを打設してコンクリートが離型可能になっとき、固定部材１０からボルト１３を抜いて型枠１の開閉側枠２７を開き、型ばらしをしてコンクリート製品４を離型すれば、端縁部４ａに接合部材３がインサートされたコンクリート製品４が得られるから、接合部材３の溝部５から収められた固定部材１０を取り出せば、図９（ａ）に示す通り溝部５を上に向けた接合部材３を端縁部４ａに有するコンクリート製品４が得られる。
【００２０】
また、コンクリート型枠用の接合部材固定構造Ａの図２に示すタイプは、分割形成される側枠２の基部２ａと可動部２ｂとを図５に示す通り結合した状態において、溝部５を上に向けた接合部材３を溝部５内に固定部材１０を収め、側壁３ｂの外側には棒材１７を突出させて、側壁３ａの外面が縦支持部６へ当り、溝部４に収めた固定部材６の上面が横支持部７へ当たるよう側枠２に支持させて、側枠２と側壁３ａにあけた孔１２へボルト１３を通し、その先端に設けたねじ１４を固定部材１０に設けた螺孔１１へ捻じ込めば、接合部材３は図２に示す通り側枠２へ固定される。そこで、型枠１の開閉側枠２７を閉じて型組みをし、型枠１内へコンクリートを打設してコンクリートが離型可能となっとき、固定部材１０からボルト１３を抜いて基部２ａと可動部２ｂとの結合を解き、可動部２ｂを図
６に示す通りアーム２０の回動で逃がすとともに、開閉側枠２７を開いて型ばらしを行ってコンクリート製品４を離型すれば、端縁部４ａに接合部材３がインサートされたコンクリート製品４が得られるから、接合部材３の溝部５から固定部材１０を取り出せば、図９（ｂ）に示す通り溝部５を上に向けた接合部材３を端縁部４ａに有するコンクリート製品４が形成される。
【００２１】
図９（ａ）に示す通り、溝部４を下に向けて接合部材３をインサートされたコンクリート製品４と、図９（ｂ）に示す通り、溝部４を上に向けて接合部材３をインサートされたコンクリート製品４とが成形されたら、両製品の接合部材３，３の溝部５，５を図１０に示す通り噛み合わせて中間に生ずる空間２８へ図１１に示す通り形成された楔２２を打ち込むと、コンクリート製品４、４は接合部材３，３によって強固確実に接合することが容易にできる。
【産業上の利用可能性】
【００２２】
本発明に係るコンクリート型枠用の接合部材固定構造は、Ｃ形をなす接合部材の側枠への固定を可能とすることで、相互の溝部を噛み合わせて内部に生ずる空間へ楔を打ち込むことで、コンクリート製品の強固確実な接合を容易に行える接合手段の実用化が達成される。
【図面の簡単な説明】
【００２３】
【図１】本発明に係るコンクリート型枠用の接合部材固定構造の接合部材の溝部を下向きとしたタイプを示す一部分の断面図である。
【図２】同上の接合部材の溝部を上向きとしたタイプを示す一部分の断面図である。
【図３】Ｃ形をなす接合部材の溝部を下向きと上向きにした状態を示す斜視図である。
【図４】（ａ）（ｂ）は、接合部材の溝部に収める固定部材の単体形及び２分割形を示す斜視図である。
【図５】基部と可動部に分割した側枠を結合した状態を示す一部分の断面図である。
【図６】側枠の可動部を基部から分離した状態を示す一部分の断面図である。
【図７】コンクリート製品が端縁部の一部分だけに接合部材を設けた状態を示す説明図である。
【図８】同上に対応して接合部材の上側と下側に補助部材とを取り付けた状態を示す説明図である。
【図９】（ａ）（ｂ）は、溝部の向きが上下反対となるように接合部材がインサート成形されたコンクリート製品の一部分の断面図である。
【図１０】図９（ａ）（ｂ）に示すコンクリート製品を接合部材の溝部を噛み合わせて、生じた空間へ楔を打ち込むことで接合した接合手段を示す説明図である。
【図１１】同上接合手段に使用した楔を示す斜視図である。
【符号の説明】
【００２４】
Ａ  コンクリート型枠用の接合部材固定構造
１  型枠
２  側枠
３  接合部材
５  溝部
６  縦支持部
７  横支持部
１０  固定部材
１１  螺孔
【図１】
2007090703.tif 000003
【図２】
2007090703.tif 000004
【図３】
2007090703.tif 000005
【図４】
2007090703.tif 000006
【図５】
2007090703.tif 000007
【図６】
2007090703.tif 000008
【図７】
2007090703.tif 000009
【図８】
2007090703.tif 000010
【図９】
2007090703.tif 000011
【図１０】
2007090703.tif 000012
【図１１】
2007090703.tif 000013